(57)【要約】【課題】加熱室の温度が予め設定した温度（例えば、２８０℃）になると、冷却ファンの送風量を増加する（例えば、５０％動作から７５％動作）ようになっているため、冷却ファンの送風量を増加した分、加熱室全体が冷却されて、加熱室温度の立上げ時間が多少遅くなる、加熱室温度が多少低くなる等の課題を有していた。【解決手段】加熱調理器本体１の下部を構成する底板ユニット２４の底板２５の底面３６全体を吸気ガイド４１で覆い、カザリバン３１前方の左右に設けた本体吸気口ア４２、本体吸気口イ４３から吸気する構成とする。更に、吸気ガイド４１に略コ状の仕切り板６２と本体排気口６３で形成されて排気経路６５を設け、底板ユニット２４の吸気経路と排気経路６５を分離する構成とする。【選択図】図１
2011174670.tif 000002
【特許請求の範囲】
【請求項１】
食品を収納する加熱室と、前記食品を高周波加熱する高周波加熱手段と、前記食品をヒータ加熱するヒータと、部品を冷却する送風装置と、前記送風装置の風量を制御する制御装置と前記送風装置と前記送風装置の風量を制御する制御装置を具備する底板とを備え、前記底板の底面全体を覆う吸気ガイドを備えたことを特徴とする加熱調理器。
【請求項２】
前記吸気ガイドは、前面に開放口を設け、前記開放口から吸気する構成とした請求項１に記載の加熱調理器。
【請求項３】
吸気ガイドに、吸気風と排気風が混ざらないように仕切りを設けて、吸気経路と排気経路を形成し、吸気口と排気口を分けた構成とした請求項１または２に記載の加熱調理器。
【発明の詳細な説明】
【技術分野】
【０００１】
本発明は、加熱調理器の組込みにおける、部品保護とオーブン性能の改善に関するものである。
【背景技術】
【０００２】
従来、この種の加熱調理器としては、加熱室の温度が予め設定した温度（例えば、２８０℃）になると、冷却ファンの送風量を増加する（例えば、５０％動作から７５％動作）ようにして、設置形態の影響を抑えるものがある（例えば、特許文献１参照）。
【先行技術文献】
【特許文献】
【０００３】
【特許文献１】特開２００８−５１４４７号公報
【発明の概要】
【発明が解決しようとする課題】
【０００４】
しかしながら、前記従来の構成では、加熱室の温度が予め設定した温度（例えば、２８０℃）になると、冷却ファンの送風量を増加する（例えば、５０％動作から７５％動作）ようになっているため、冷却ファンの送風量を増加した分、加熱室全体が冷却されて、加熱室温度の立上げ時間が多少遅くなる、加熱室温度が多少低くなる等の課題を有していた。
【０００５】
本発明は、前記従来の課題を解決するもので、加熱調理器の組込みにおける部品の保護ができるとともにオーブン性能の改善ができる加熱調理器の提供を目的とする。
【課題を解決するための手段】
【０００６】
前記従来の課題を解決するために、本発明の加熱調理器は、前記底板の底面全体を覆う吸気ガイドを備え、前記吸気ガイドは、前面に開放口を設け、前記開放口から吸気する構成としたものである。更に、前記吸気ガイドに、吸気風と排気風が混ざらないように仕切りを設けて、吸気経路と排気経路を形成し、吸気口と排気口を分けた構成としたものである。
【０００７】
これにより、加熱調理器の組込みにおける部品の保護とオーブン性能の改善ができるものである。
【発明の効果】
【０００８】
本発明によれば、加熱調理器を組込むことで、加熱調理器から出た排熱が、底板部に設けられた吸気口に廻り込まないようにできると共に、加熱調理器外の前方下より比較的低温の空気を取り入れることができる。
【０００９】
更に、底板部の吸気経路と排気経路を分離できることによって、底板部での排熱の廻り込みがなくなるため、加熱調理器の組込み設置における部品の温度上昇を抑制できる。また、前記の効果によって、冷却ファンの送風量を増加する必要がないため、加熱室温度の立上げ時間が多少遅くなるとか、加熱室温度が多少低くなる等のオーブン性能の不具合が解消できる。
【図面の簡単な説明】
【００１０】
【図１】本発明の実施の形態１における加熱調理器を斜め下から見た外観斜視図
【図２】本発明の実施の形態１における加熱調理器の排気ガイドを外して斜め下から見た外観斜視図
【図３】本発明の実施の形態１における加熱調理器を斜め後ろから見た外観斜視図
【図４】本発明の実施の形態１における加熱調理器の廃棄ガイドを外して斜め下から見た外観斜視図
【図５】本発明の実施の形態１における加熱調理器の外装部と底部を外して斜め下から見た斜視図
【図６】本発明の実施の形態１における加熱調理器の外装部を外して斜め後から見た斜視図
【図７】本発明の実施の形態１における加熱調理器の外装部とオーブンユニットを外して斜め後から見た斜視図
【図８】本発明の実施の形態１における加熱調理器の外装部とオーブンユニットを外して斜め前から見た斜視図
【図９】本発明の実施の形態１における加熱調理器の要部断面図
【図１０】本発明の実施の形態２における加熱調理器の底板ユニットの部品を外して斜め前から見た斜視図
【図１１】本発明の実施の形態２における加熱調理器の吸気ガイドを斜め前から見た斜視図
【発明を実施するための形態】
【００１１】
第１の発明は、食品を収納する加熱室と、前記食品を高周波加熱する高周波加熱手段と、前記食品をヒータ加熱するヒータと、部品を冷却する送風装置と、前記送風装置の風量を制御する制御装置と前記送風装置と前記送風装置の風量を制御する制御装置を具備する底板とを備え、前記底板の底面全体を覆う吸気ガイドを備えたものである。これにより、加熱調理器からでた排熱が底板部に設けられた吸気口に廻り込まないようにできるため、加熱調理器の組込みにおける部品の温度上昇を抑制できる。また冷却ファンの送風量を増加する必要がないため、加熱室温度の立上げ時間が多少遅くなる、加熱室温度が多少低くなる等のオーブン性能の不具合が解消できる。
【００１２】
第２の発明は、前記吸気ガイドは、前面に開放口を設け、前記開放口から吸気する構成としたものである。これにより、加熱調理器外の比較的低温の空気を取り入れることができるため、より効果的に部品の温度上昇を抑制できる。
【００１３】
第３の発明は、前記吸気ガイドに、吸気風と排気風が混ざらないように仕切りを設けて、吸気経路と排気経路を形成し、吸気口と排気口を分けた構成としたものである。これにより、底板部の吸気経路と排気経路を分離できることによって、底板部での排熱の廻り込みがなくなるため、加熱調理器の組込み設置における部品の温度上昇を抑制できる。
【００１４】
以下、本発明の実施の形態について、図面を参照しながら説明する。なお、本実施の形態によって本発明が限定されるものではない。
【００１５】
（実施の形態１）
図１は、本発明の第１の実施の形態における加熱調理器を斜め下から見た外観斜視図、図２は、本発明の実施の形態１における加熱調理器の排気ガイドを外して斜め下から見た外観斜視図、図３は、本発明の実施の形態１における加熱調理器を斜め後ろから見た外観斜視図、図４は、本発明の実施の形態１における加熱調理器を斜め下から見た外観斜視図、図５は、本発明の実施の形態１における加熱調理器の外装部と底部を外して斜め下から見た斜視図、図６は、本発明の実施の形態１における加熱調理器の外装部を外して斜め後から見た斜視図、図７は、本発明の実施の形態１における加熱調理器の外装部とオーブンユニットを外して斜め後から見た斜視図、図８は、本発明の実施の形態１における加熱調
理器の外装部とオーブンユニットを外して斜め前から見た斜視図、図９は、本発明の実施の形態１における加熱調理器の要部断面図である。
【００１６】
図１〜図９において、図中の矢印は、大まかな空気の流れを表わしている。また、加熱調理器をいろんな方向から見た図で説明するため、ユニット、部品の配置は、断りが無い限り、加熱調理器を前方から見た配置で説明する。
【００１７】
加熱調理器本体１の内部には、加熱室２が有り、加熱室２の前面には、回動自在に開閉できるドア３が設けられている。加熱室２の上面には、上ヒータユニット４が有り、上ヒータユニット４は、管状の上ヒータ（図示せず）が内蔵されていて、その上方を断熱板上５で覆われている。
【００１８】
加熱室２の後面には、循環ファンヒータユニット６が有り、この循環ファンユニット６には、シーズヒータ７が内蔵されていて、断熱板後８で覆われている。
【００１９】
加熱室２の下面の右中央には、導波管９を介して、マグネトロン１０が取付けて有る。導波管９には、アンテナモータ取付板１１が取付けてあり、アンテナモータ取付板１１に、アンテナモータ１２がビス止めされている。加熱室２の下面の右後には、スチームヒータ取付板１３に、スチームヒータ１４が、加熱室２のスチームを発生させるための水受け部底面に、密着するようにして取付けられている。
【００２０】
加熱室２の両側面には、断熱板右１５、断熱板左１６が設けられ、それぞれの側面全体を覆っている。加熱室２の底面には、導波管９とマグネトロン１０部近傍は切り欠き部があって、スチームヒータ１４部には、スチームヒータ１４を覆う形状の絞り部１７が形成された断熱板下１８で覆われている。更に、断熱板下１８は、加熱室２の両側にある断熱板右１５、断熱板左１６の下部をそれぞれ覆うように構成している。断熱板下１８のスチームヒータ１４部近傍には、スチームヒータ１４の異常動作を検出する温度スイッチ１９が取付けられている。
【００２１】
更に、左後に、略Ｌ状の切起こし部２０が有り、その右側に上方向に凸状の絞り部２１が有り、中央左の導波管９部には、導波管９に設けた穴２２を塞ぐ突起部２３が設けて有る。
【００２２】
加熱調理器本体１の下方には、底板ユニット２４が配設されている。底板ユニット２４の底板２５には、インバータユニット２６を冷却するインバータ冷却ファンユニット２７と、マグネトロン１０を冷却するマグネトロン冷却ファンユニット２８とが設けられている。また、加熱調理器本体１前方には、電波加熱、ヒータ加熱、スチーム加熱、冷却ファンの動作を制御する制御ユニット２９が備わっている。底板ユニット２４の下方には、底板２５の前方を隠すカザリバン３１が取り付けてある。
【００２３】
底板２５の側方と後方とを隠すカザリバンミギ３２、カザリバンヒダリ３３が取付けてある。カザリバンミギ３２とカザリバンヒダリ３３には、加熱調理器本体１を支える足部ア３４と足部イ３５が設けてあり、底板ユニット２４を浮かすように取付けられている。底板２５の底面３６には、底板吸気口ア３７と底板吸気口イ３８と底板排気口３９とが設けており、前記底面３６全体を覆うように、吸気ガイド４１が設けられている。
【００２４】
底板２５の前方にあるカザリバン３１の左右には、吸気ガイド４１とあいまって、本体吸気口ア４２と本体吸気口イ４３とが形成されている。加熱調理器本体１の上方と後方は、ボディ４４と裏板４５で覆われていて、裏板４５の上部には、排気カバー４６が設けられており、排気カバー４６は、加熱調理器本体１の内部からの熱気を、前方斜め上に排気
するようにしている。
【００２５】
次に、オーブン調理を例にとって、動作、作用について説明する。
【００２６】
図１〜図９において、図中の矢印は大まかな空気の流れを表わしている。また、加熱調理器をいろいろな方向から見た図で説明するため、ユニット、部品の配置が換わるので、断りが無い限り加熱調理器を前方から見た配置で説明する。
【００２７】
加熱室２に食品を入れ、ドア３の下側にある操作部の操作キー５１により、加熱モード（ここでは、オーブン）と時間を設定する。そして、スタートキー５２を押して、オーブン調理を開始すると、上ヒータユニット４、あるいは、循環ファンヒータユニット６に通電され、制御ユニット２９のマイコン（図示せず）にプログラムされた加熱制御パターンで、加熱室２を加熱していく。
【００２８】
加熱室２の温度は、加熱室２の正面から見て右奥に設けられたサーミスタ（図示せず）が随時検出し、制御ユニット２９のマイコン（図示せず）に温度情報を送り、上ヒータユニット４、あるいは、循環ファンヒータユニット６への通電のＯＮ、ＯＦＦ制御を行い、加熱室２が設定温度になるまで加熱する。設定した時間が完了したら、加熱動作を停止する。
【００２９】
一方、調理を開始すると、しばらく経過してから、底板ユニット２４に設けたインバータ冷却ファンユニット２７のシロッコファン５３が回転して、底板２５の底面３６に設けたインバータ冷却ファンユニット２７用の底板吸気口ア３８から、まずは、加熱調理器本体１の底板２５と吸気ガイド４１とで形成された、空間５４内の空気が導入される。すると、加熱調理器本体１の底板２５の底面３６と吸気ガイド４１とで形成された、空間５４が負圧になるため、次に、底板２５の前方にあるカザリバン３１の左右の本体吸気口ア４２と本体吸気口イ４３から、加熱調理器本体１外の比較的低温の空気が、随時導入される。
【００３０】
冷却ファンユニット２７のシロッコファン５３が回転して、導入された冷却風は、インバータユニット２７を冷却した後、インバータ冷却ファンユニット２７の送風口ア５５及びインバータユニット２７の送風口イ５６と送風口ウ５７から、制御ユニット２９に送風されて、制御ユニット２９の電気部品を冷却する。その後、加熱室２の両側にある断熱板右１５と断熱板左１６、循環ファンヒータユニット６の断熱板後８を通り、排気カバー４６のルーバー開口５８から前方斜め上に排気される。
【００３１】
また、加熱室２内の熱気は、加熱室２内に設けたパンチング穴（図示せず）から排気され、排気ガイド６１を通り、断熱板後８の右部に一旦排気されて、前記説明の排気風と合流した後、排気カバー４６のルーバー開口５８から前方斜め上に排気される。
【００３２】
ここで、前記説明の加熱調理器が、左方、右方、後方、上方を木壁で囲まれる設置（図示せず）、いわゆる組込状態で使用されると、加熱調理器本体１の排気熱は、加熱調理器本体１外と木壁の空間でこもってしまい、温度が高くなってくる。そうすると、本発明の吸気ガイド４１が無い場合は、加熱調理器本体１外と木壁の空間にこもって温度が高くなった排熱が、底板ユニット２４の底板２５に設けた、インバータ冷却ファンユニット２７用の底板吸気口ア３７から廻り込んで吸気されることになり、ここの吸気温度が必然的に高くなるため、底板ユニット２４内にある部品の冷却が悪化することになる。
【００３３】
従来は、加熱室２の温度が予め設定した温度（例えば、２８０℃）になると、インバータ冷却ファンユニット２７の送風量を増加する（例えば、５０％動作から７５％動作）対
処方法をとっている。しかし、この対処方法では、加熱室２の室内温度の立上げ時間が多少遅くなるとか、加熱室２の設定温度が多少低くなるとかという影響が出ていた。
【００３４】
そこで、本実施の形態では、加熱調理器本体１の底板２６の面全体を覆う吸気ガイド４１を設けることで、加熱調理器本体１から出た排熱を、底板２６側に廻り込まないように遮断すると共に、加熱調理器本体１外の比較的低温の空気を、カザリバン３１の左右に設けた本体吸気口ア４２と本体吸気口イ４３とから導入することで、インバータ冷却ファンユニット２７で導入される冷却風の温度上昇を抑えることができる。このことによって、インバータ冷却ファンユニット２７の送風量は変えないため、加熱室２の立上げ時間を速くできる。また、加熱室２の温度の低下は生じない。
【００３５】
（実施の形態２）
図１０は、本発明の実施の形態２における加熱調理の底板ユニットの部品を外して斜め前から見た斜視図、図１１は、本発明の実施の形態２における加熱調理の吸気ガイドを斜め前から見た斜視図である。
【００３６】
図１０、図１１において、底板ユニット２４の底板２５の左側中央には、底板排気口３９が設けている。また、吸気ガイド４１の左側中央には、前記底板２５の下方にあって、前記底板排気口３９に相対して囲むように、略コ状の仕切り板６２が設けてあり、排気経路を構成している。吸気ガイド４１の側面には、本体排気口６３が設けてある。
【００３７】
電子レンジ調理を例にとって、動作、作用について説明する。
【００３８】
図１〜図１１において、図中の矢印は大まかな空気の流れを表わしている。また、加熱調理器をいろんな方向から見た図で説明するため、ユニット、部品の配置が換わるので、断りが無い限り加熱調理器を前方から見た配置で説明する。
【００３９】
加熱室２に食品を入れ、ドア３の下側にある操作部の操作キー５１により、加熱モード（ここでは、電子レンジ）と時間を設定した後、スタートキー５２を押して、電子レンジ調理を開始する。まず、インバータユニット２６に通電され、マグネトロン１０を駆動し、導波管９を通じて、加熱室２のアンテナから加熱室２内に高周波が照射されて、食品が加熱される。この時、導波管９に、アンテナモータ取付板１１を介して取付けてあるアンテナモータ１２が回転して、高周波を撹拌することによって、食品を均一に加熱できる。設定した時間が完了したら、加熱動作を停止する。
【００４０】
一方、調理を開始すると同時に、底板ユニット２４の底板２５に設けたインバータ冷却ファンユニット２７のシロッコファン５３が回転して、まずは加熱調理器の本体１の底板２５と排気カバー４１との空間５４にある空気が導入される。これにより、加熱調理器の本体１の底板２５の底面３６と排気カバー４との間の空間５４が負圧になるため、次に、底板２５の前方にあるカザリバン３１の左右の本体吸気口ア４２と本体吸気口イ４３から、加熱調理器の本体１外の比較的低温の空気が随時導入される。
【００４１】
冷却ファンユニット２７のシロッコファン５３が回転して導入された冷却風は、インバータ冷却ファンユニット２７の送風口５５及びインバータユニット２８の送風口５６と送風口５７から、制御ユニット２９に送風されて、制御ユニット２９の電気部品を冷却する。同時に、底板ユニット２４に設けたマグネトロン冷却ファンユニット２９のシロッコファン（図示せず）が回転して、まずは加熱調理器本体１の底板２５と吸気ガイド４１との間の空間５４にある空気が導入される。すると、加熱調理器本体１の底板２５の底面３６と吸気ガイド４１との間の空間５４が負圧になる。
【００４２】
次に、底板２５の前方にあるカザリバン３１の左右の本体吸気口ア４２と本体吸気口イ４３から、加熱調理器本体１外の比較的低温の空気が随時導入される。マグネトロン冷却ファンユニット２８のシロッコファン（図示せず）が回転して導入された冷却風は、マグネトロン冷却ファンユニット２８の送風口５９から送風されてマグネトロン１０を冷却する。その後、エアーガイドＣ６０通り、断熱板左１６に送られ、加熱室２に入る流れと、断熱板左１６の外に送風される流れとに二分される。そして、加熱室２の両側にある断熱板右１５、断熱板左１６、循環ファンヒータユニット６の断熱板後８を通り、排気カバー４６のルーバー開口５８から、前方斜め上に排気される。
【００４３】
また、加熱室２内の蒸気は、加熱室２内に設けたパンチング穴（図示せず）から排気され、排気ガイド６１を通って、断熱板後８の右上部に一旦排気されて、前記説明の排気風と合流してから、排気カバー４６のルーバー開口５８から前方斜め上に排気される。
【００４４】
電子レンジ調理においては、マグネトロン１０のアノードブロック６５が高温となることもあって、マグネトロン冷却ファンユニット２８で冷却しても、マグネトロン１０近傍の雰囲気は比較的高温となっている。このため、マグネトロン１０近傍の雰囲気が、底板ユニット２４内に留まって悪い面で作用しないように、底板排気口３９から略コ状の仕切り板６２で構成した排気経路６５の空間を通り、吸気ガイド４１の側面に設けた本体排気口６３を経て、加熱調理器本体１外に排出する。このことで、底板ユニット２４内の電気部品の温度上昇に、影響を与えないようにできる。
【００４５】
以上のように、本実施の形態によれば、加熱調理器の組込みにおける部品の保護とオーブン性能の改善ができるものである。
【産業上の利用可能性】
【００４６】
本発明は、加熱調理器からでた排熱が底板部に設けられた吸気口に廻り込まないように出来ると共に、加熱調理器外の比較的低温の空気を取り入れることができる。更に底板部の吸気経路と排気経路を分離できることによって、底板部での排熱の廻り込みを防止できるため、加熱調理器の組込みにおける部品の温度上昇を抑制できる。また前記の効果によって冷却ファンの送風量を増加する必要がないため、加熱室温度の立上げ時間が多少遅くなる、加熱室温度が多少低くなる等のオーブン性能の不具合が解消できるので、家庭用および業務用の加熱調理器に適用できる。
【符号の説明】
【００４７】
１  加熱調理器本体
２  加熱室
３  ドア
４  上ヒータユニット
５  断熱板上
６  循環ファンユニット
８  断熱板後
１０  マグネトロン
１４  スチームヒータ
１５  断熱板右
１６  断熱板左
１８  断熱板下
２４  底板ユニット
２５  底板
２６  インバータユニット
２７  インバータ冷却ファンユニット
２８  マグネトロン冷却ファンユニット
２９  制御ユニット
３１  カザリバン
３２  カザリバンミギ
３３  カザリバンヒダリ
３６  底面
３７  底板吸気ア
３８  底板吸気イ
３９  底板排気口
４２  本体吸気口ア
４３  本体吸気口イ
４５  裏板
４６  排気カバー
６２  仕切り板
６３  本体排気口
６５  排気経路
【図１】
2011174670.tif 000003
【図２】
2011174670.tif 000004
【図３】
2011174670.tif 000005
【図４】
2011174670.tif 000006
【図５】
2011174670.tif 000007
【図６】
2011174670.tif 000008
【図７】
2011174670.tif 000009
【図８】
2011174670.tif 000010
【図９】
2011174670.tif 000011
【図１０】
2011174670.tif 000012
【図１１】
2011174670.tif 000013